(57)【要約】      （修正有）【課題】紙葉や書類などの被挟持物を、孔開けすることなく取り外し自在に綴じ込むために用いられるクリップファイルを提供する。【解決手段】ファイル本体１の内部空間１Ｓに挿入された被挟持物ＢをクリップＣにより挟持するクリップファイルＡであって、ファイル本体が、内部空間に挿入された被挟持物の表面と対向する開閉自在な一対の表紙１１、１２と、被挟持物の綴じ込み端部Ｂ３及びクリップの間に配置される綴じ代部１３と、を備え、綴じ代部は、クリップの一対の弾性挟持部２１ａ、２２ａが貫通して被挟持物の表面に圧接する一対の通孔１１ａ、１２ａを有する。【選択図】図３
2017105099.tif 000002
【特許請求の範囲】
【請求項１】
ファイル本体の内部空間に挿入された被挟持物をクリップにより挟持するクリップファイルであって、
前記ファイル本体が、前記内部空間に挿入された前記被挟持物の表面と対向する開閉自在な一対の表紙と、
前記被挟持物の綴じ込み端部及び前記クリップの間に配置される綴じ代部と、を備え、
前記綴じ代部は、前記クリップの一対の弾性挟持部が貫通して前記被挟持物の表面に圧接する一対の通孔を有することを特徴とするクリップファイル。
【請求項２】
前記クリップが、一対の挟持片を有するクリップ本体に対して押圧カバーがスライド自在に設けられるスライド式クリップであり、
前記一対の挟持片は、前記一対の挟持片に沿って前記押圧カバーがスライドした前記被挟持物の挟持状態で、前記一対の通孔をそれぞれ貫通して前記被挟持物に圧接する前記一対の弾性挟持部を有することを特徴とするクリップファイル。
【請求項３】
前記一対の通孔のいずれか一方又は両方は、前記一対の表紙のいずれか一方又は両方の開動に伴って前記クリップと係合する係合部を有することを特徴とする請求項１又は２記載のクリップファイル。
【請求項４】
前記クリップは、前記係合部と着脱自在に係合する突起部を有することを特徴とする請求項３記載のクリップファイル。
【請求項５】
前記一対の通孔のいずれか一方又は両方は、前記一対の弾性挟持部のいずれか一方又は両方が少なくとも前記押圧カバーのスライド方向へ移動不能な開口寸法の係止部を有することを特徴とする請求項２、３又は４記載のクリップファイル。
【発明の詳細な説明】
【技術分野】
【０００１】
本発明は、紙葉や書類などの被挟持物を、孔開けすることなく取り外し自在に綴じ込むために用いられるクリップファイルに関する。
詳しくは、少なくとも表裏一対の表紙を有するファイル本体とクリップとからなるクリップファイルに関する。
【背景技術】
【０００２】
従来、この種のクリップファイルとして、下記の特許文献１に記載されたスライド式クリップを用いたものがある。
このスライド式クリップは、断面略コ字状の内側クリップ部が断面略コ字状の外側クリップ部の内側から前方に移動して前記内側クリップ部に挿入物が挿入され、前記挿入物を挿入した内側クリップ部が前記外側クリップ部の内側に移動して、前記外側クリップ部に収納されることにより、前記内側クリップ部が前記挿入物を挟持している（例えば、特許文献１参照）。
クリップファイルとしての使用時には、前記挿入物として複数枚からなる書類が、背幅部を有する二つ折りの表紙の間に挟まれ、この表紙の背幅部が、予め外側クリップ部から突出した内側クリップ部の両折曲部の間に挿入される。表紙の背幅部が内側クリップ部の両折曲部の間に挿入された状態で、内側クリップ部を外側クリップの内側に収納することにより、内側クリップ部の両折曲部で書類がその厚み方向へ押圧されて挟持され、この結果として書類を綴じている。
【先行技術文献】
【特許文献】
【０００３】
【特許文献１】特開２００４−３３０４３７号公報
【発明の概要】
【発明が解決しようとする課題】
【０００４】
しかし乍ら、このような従来のクリップファイルでは、クリップが表紙を挟んでその外側から書類と接触することなく間接的に挟持するため、表紙の内側面が滑り易い平滑面であると、書類が内側クリップ部から抜け落ちて周囲に散乱するという問題があった。
さらに、合成樹脂製シートなどの曲げ変形に対して復元力が優れた材料で表紙を構成した場合には、書類から表側の表紙を開いても、それを手で保持しないと、表側の表紙が復元力で閉じてしまうため、書類に対して筆記や記録などの作業をスムーズに行えない行うことが困難であるという問題もあった。
【課題を解決するための手段】
【０００５】
このような課題を達成するために本発明に係るクリップファイルは、ファイル本体の内部空間に挿入された被挟持物をクリップにより挟持するクリップファイルであって、前記ファイル本体が、前記内部空間に挿入された前記被挟持物の表面と対向する開閉自在な一対の表紙と、前記被挟持物の綴じ込み端部及び前記クリップの間に配置される綴じ代部と、を備え、前記綴じ代部は、前記クリップの一対の弾性挟持部が貫通して前記被挟持物の表面に圧接する一対の通孔を有することを特徴とする。
【図面の簡単な説明】
【０００６】
【図１】本発明の第一の実施形態に係るクリップファイルの全体構成を示す説明図であり、被挟持物の挿入前の分解斜視図である。
【図２】クリップのスライド後を部分拡大した斜視図である。
【図３】クリップファイルの使用手順を示す説明図であり、（ａ）が被挟持物の挿入時を部分拡大した横断平面図、（ｂ）が被挟持物の挿入後を部分拡大した横断平面図、（ｃ）がクリップのスライド後を部分拡大した横断平面図である。
【図４】表紙を開いた状態の斜視図である。
【図５】本発明の第二の実施形態に係るクリップファイルの全体構成を示す説明図であり、（ａ）がクリップのスライド後の斜視図、（ｂ）が表紙を開いた状態の部分拡大斜視図である。
【発明を実施するための形態】
【０００７】
以下、本発明の実施形態を図面に基づいて詳細に説明する。
本発明の実施形態に係るクリップファイルＡは、図１〜図５に示すように、ファイル本体１の内部空間１Ｓに被挟持物Ｂが挿入され、クリップＣにより被挟持物Ｂを取り外し自在に締め付けて挟持し綴じ込むためのファイリング用具である。
詳しく説明すると、本発明の実施形態に係るクリップファイルＡは、被挟持物Ｂが挿入される開閉自在なファイル本体１と、クリップＣとからなる。
なお、ファイル本体１の内部空間１Ｓに対して被挟持物Ｂが挿入される方向を、以下「被挟持物Ｂの挿入方向Ｘ１」という。この挿入方向Ｘ１と逆向きのファイル本体１からの被挟持物Ｂが取り出される方向を、以下「被挟持物Ｂの取り出し方向Ｘ２」という。
被挟持物Ｂの挿入方向Ｘ１及び取り出し方向Ｘ２と直交する綴じ厚（背幅）方向を、以下「被挟持物Ｂの厚み方向Ｙ」という。この厚み方向Ｙと直交する綴じ長さ方向を、以下「被挟持物Ｂの綴じ長さ方向Ｚ」という。
【０００８】
被挟持物Ｂは、書面やメモなどの紙葉、それ以外のシート、冊子、書類などからなり、その表面として表側表面Ｂ１及び裏側表面Ｂ２が後述するファイル本体１と対向し、綴じ込み端部Ｂ３を後述するクリップＣにより挟持することで、ファイル本体１に対し取り外し自在に綴じ込まれる。
被挟持物Ｂの具体例として図１〜図５に示される例の場合には、略同形状に裁断された複数枚の紙葉やシートを積み重ねている。
詳しく説明すると、図１及び図２に示される例では、被挟持物Ｂが一般的にコピー用紙と用いられるＡ４判サイズやＢ５判サイズ（大学ノートサイズ）などの比較的に大きな複数枚の紙葉やシートである。
図５（ａ）（ｂ）に示される例では、被挟持物Ｂがメモなどとして用いられるＡ６判（文庫判）などの比較的に小さな複数枚の紙葉やシートである。
また、その他の例として図示しないが、被挟持物Ｂとして形状又はサイズが異なる複数枚の紙葉やシートを積み重ねたり、複数の冊子や書類を積み重ねたり変更することも可能である。
【０００９】
ファイル本体１は、例えば無色透明や有色透明などのポリプロピレン（ＰＰ）、ＰＰよりも透明度に優れたポリエチレンテレフタレート（ＰＥＴ）、その他の軟質合成樹脂又は紙などからなる変形可能なシートで構成される。
さらに、ファイル本体１は、内部空間１Ｓに挿入された被挟持物Ｂの表側表面Ｂ１及び裏側表面Ｂ２と対向するように設けられる開閉自在な一対の表紙１１，１２と、被挟持物Ｂの綴じ込み端部Ｂ３及びクリップＣの間に配置するように設けられる綴じ代部１３と、を主要な構成要素として備えている。
一対の表紙１１，１２において綴じ代部１３となる箇所は、後述するクリップＣの一対の弾性挟持部２１ａ，２２ａが貫通して被挟持物Ｂの表側表面Ｂ１及び裏側表面Ｂ２に圧接する一対の通孔１１ａ，１２ａを有している。つまり、綴じ代部１３には、それぞれ貫通する一対の通孔１１ａ，１２ａが開設されている。
【００１０】
ファイル本体１の具体例として図１〜図５に示される例の場合には、透明な合成脂製シートの両端に、被挟持物Ｂの表側表面Ｂ１と対向する表側表紙１１と、被挟持物Ｂの裏側表面Ｂ２と対向する裏側表紙１２がそれぞれ形成される。表側表紙１１及び裏側表紙１２の間には、綴じ代部１３の背幅部位１３ａを連続して一体形成し、背幅部位１３ａを中心として表側表紙１１及び裏側表紙１２が二つ折り構造に構成されている。
表側表紙１１には、折込線１１Ｌが形成されている。折込線１１Ｌは、直線状に連続する凹溝を凹設するか、又は破線状に断続する凹溝を表側表紙１１に凹設することにより、表側表紙１１の開動操作に伴って容易に折れ曲がるように構成されている。
さらに、図１及び図２に示される例では、Ａ４判サイズなどの比較的に大きなサイズの被挟持物Ｂがファイル本体１の内部空間１Ｓに挿入され、被挟持物Ｂの長辺側先端部Ｂ３をファイル本体１の背幅部位１３ａに突き当てた状態で、複数（図示例では２個）のクリップＣによりそれぞれ綴じ込んでいる。
図５（ａ）（ｂ）に示される例では、Ａ６判などの比較的に小さなサイズの被挟持物Ｂがファイル本体１の内部空間１Ｓに挿入され、被挟持物Ｂの短辺側先端部Ｂ４をファイル本体１の背幅部位１３ａに突き当てた状態で、単数のクリップＣにより綴じ込んでいる。
また、その他の例として図示しないが、表側表紙１１，裏側表紙１２の間に背幅部位１３ａを形成せずに二つ折り構造に構成したり、裏側表紙１２にも折込線を形成したり変更することも可能である。
【００１１】
クリップＣは、主に金属や硬質合成樹脂などの弾性変形可能な材料で形成される紙クリップやこれと類似する締付け具であり、少なくとも一対の弾性挟持部２１ａ，２２ａを有している。
一対の弾性挟持部２１ａ，２２ａは、ファイル本体１に対する被挟持物Ｂの挟持状態で、ファイル本体１の一対の通孔１１ａ，１２ａを貫通して被挟持物Ｂの表側表面Ｂ１及び裏側表面Ｂ２に圧接するように構成されている。
クリップＣの具体例としては、摘み部分を折り返すことによりコンパクト化が可能なターンクリップ（Ｗクリップ・バインダークリップ）、摘み部分が折り返し不能な目玉クリップ（蛇の目クリップ）、針金などを曲げて作られたゼムクリップなど、被挟持物Ｂの綴じ込み端部Ｂ３を厚み方向Ｙへ挟み込んで締め付けることが可能な構造であれば、いずれを用いてもよい。
なお、クリップＣの数は、被挟持物Ｂのサイズに対応して変更することも可能である。図１及び図２に示される例のような被挟持物Ｂが比較的に大きい場合には、クリップＣを３個以上配置してもよい。図５（ａ）（ｂ）に示される例のような被挟持物Ｂが比較的に小さい場合でも、クリップＣを複数（２個以上）配置することも可能である。
【００１２】
クリップＣの具体例として図１〜図５に示される例の場合には、一対の挟持片２１，２２を有するクリップ本体２に対して押圧カバー３がスライド自在に設けられるスライド式クリップＣ１を用いている。
詳しく説明すると、スライド式クリップＣ１は、図３（ａ）（ｂ）（ｃ）に示されるように、クリップ本体２が一対の挟持片２１，２２を有し、押圧カバー３が一対の押圧片３１，３２を有している。挟持片２１，２２に沿って押圧片３１，３２をスライド移動させることにより、挟持片２１，２２が接近移動又は離隔移動して被挟持物Ｂを取り外し自在に挟持するように構成されている。
クリップ本体２は、金属や硬質合成樹脂などの弾性変形可能な材料で、その先端側に一対の挟持片２１，２２が連結部２３を挟んで略コの字形に形成される。クリップ本体２は、一対の挟持片２１，２２を両者の間隔が被挟持物Ｂの厚み方向Ｙへそれぞれ弾性的に拡開変形又は縮小変形するように構成している。
押圧カバー３は、金属や硬質合成樹脂などの変形不能な材料で、その先端側に一対の押圧片３１，３２が基部３３を挟んで略コの字形に形成される。押圧カバー３は、挟持片２１，２２の外側面に沿って押圧片３１，３２の内側面が、被挟持物Ｂの挿入方向Ｘ１及び取り出し方向Ｘ２へスライド自在となるようにクリップ本体２に対して取り付けられている。
クリップ本体２の一対の挟持片２１，２２は、図３（ｃ）に示されるように、一対の挟持片２１，２２の外側面に沿って押圧カバー３の一対の押圧片３１，３２を、被挟持物Ｂの取り出し方向Ｘ２へスライドさせることにより、被挟持物Ｂの厚み方向Ｙへそれぞれ弾性的に縮小変形して、被挟持物Ｂを移動不能に挟持する。一対の挟持片２１，２２は、この被挟持物Ｂの挟持状態で、表紙１１，１２の一対の通孔１１ａ，１２ａをそれぞれ貫通して、被挟持物Ｂの表側表面Ｂ１及び裏側表面Ｂ２に圧接する一対の弾性挟持部２１ａ，２２ａを有している。
【００１３】
そして、図１〜図５に示されるスライド式クリップＣ１の場合には、一対の挟持片２１，２２の外側面と、押圧カバー３において押圧片３１，３２の内側面と、を被挟持物Ｂの挿入方向Ｘ１及び取り出し方向Ｘ２へ往復動自在に凹凸嵌合させている。
詳しく説明すると、一対の挟持片２１，２２の間隔が、被挟持物Ｂの取り出し方向Ｘ２に向かって徐々に被挟持物Ｂの厚み方向Ｙへ拡開するように形成されている。図示例では、挟持片２１，２２の外側面に、貫通孔や凹溝などからなる係合凹部２４，２５を形成している。
一対の押圧片３１，３２の間隔は、被挟持物Ｂの取り出し方向Ｘ２に向かって徐々に被挟持物Ｂの厚み方向Ｙへ縮小するテーパー状に形成されている。図示例では、押圧片３１，３２の内側面に、突起などからなる係合凸部３４，３５を形成している。
これら挟持片２１，２２の係合凹部２４，２５と押圧片３１，３２の係合凸部３４，３５を遊嵌状に凹凸嵌合させている。
また、その他の例として図示しないが、挟持片２１，２２の外側面に形成した係合凸部と、押圧片３１，３２の内側面に形成した係合凹部とを、遊嵌状に凹凸嵌合させることも可能である。
【００１４】
さらに図示例では、クリップ本体２は、錆難いステンレスなどの金属薄板を略コの字形に曲げ加工することで、一対の挟持片２１，２２と連結部２３が一体形成されている。これに加えて、挟持片２１，２２の先端を互い対向する方向へ略Ｖ字形に折り曲げることにより、一対の弾性挟持部２１ａ，２２ａがそれぞれ被挟持物Ｂの厚み方向Ｙへ弾性変形可能に一体形成されている。
一対の弾性挟持部２１ａ，２２ａを確実に変形させるには、挟持片２１，２２を含めて肉薄にすることが好ましい。しかし、挟持片２１，２２及び弾性挟持部２１ａ，２２ａの厚みを肉薄にすると、剛性が低下してしまう。これを防止するため、挟持片２１，２２や弾性挟持部２１ａ，２２ａの両端縁に補強部２６，２７をそれぞれ曲げ加工により一体成形して、剛性の向上を図ることが好ましい。
この場合には、挟持片２１，２２や弾性挟持部２１ａ，２２ａの両端縁に一体成形された補強部２６，２７を指先で摘むことにより、押圧カバー３に対してクリップ本体２が指先を傷付けることなく安全に出し入れでき、組み立てや補修作業が容易に行える。
また、その他の例として図示しないが、クリップ本体２を金属薄板に代えて硬質合成樹脂なとで薄板状に成形することも可能である。
【００１５】
このような本発明の実施形態に係るクリップファイルＡによると、ファイル本体１の内部空間１Ｓに被挟持物Ｂを挿入することにより、被挟持物Ｂの表面（表側表面Ｂ１，裏側表面Ｂ２）が、ファイル本体１の一対の表紙１１，１２にそれぞれ対向する。これと同時に、被挟持物Ｂの綴じ込み端部Ｂ３よりも外側で且つクリップＣよりも内側にファイル本体１の綴じ代部１３が配置される。さらに、一対の弾性挟持部２１ａ，２２ａが一対の表紙１１，１２の通孔１１ａ，１２ａを貫通して、被挟持物Ｂの表面（表側表面Ｂ１，裏側表面Ｂ２）に（厚み方向Ｚへ）それぞれ圧接する。これにより、ファイル本体１に対して被挟持物Ｂが（取り外し方向Ｘ２へ）移動不能に挟持される。
したがって、クリップＣによる被挟持物Ｂの挟持でファイル本体１の構成材料と関係なく被挟持物Ｂの滑り落ちを確実に防止することができる。
その結果、クリップが表紙を挟んでその外側から書類と接触することなく間接的に挟持する従来のものに比べ、ファイル本体１において表紙１１，１２の内側面が滑り易い平滑面であっても、被挟持物Ｂが表紙１１，１２の間から抜け落ちることない。
【００１６】
特に、クリップＣが、一対の挟持片２１，２２を有するクリップ本体２に対して押圧カバー３がスライド自在に設けられるスライド式クリップＣ１であり、一対の挟持片２１，２２は、一対の挟持片２１，２２に沿って押圧カバー３がスライドした被挟持物Ｂの挟持状態で、一対の通孔１１ａ，１２ａをそれぞれ貫通して被挟持物Ｂに圧接する一対の弾性挟持部２１ａ，２２ａを有することが好ましい。
このような場合には、ファイル本体１の一対の表紙１１，１２に対し、被挟持物Ｂが挿入された後に、スライド式クリップＣ１の押圧カバー３（一対の押圧片３１，３２）を、クリップ本体２の一対の挟持片２１，２２に沿って（被挟持物Ｂの取り外し方向Ｘ２へ）スライドさせる。この被挟持物Ｂの挟持状態で、一対の挟持片２１，２２における一対の弾性挟持部２１ａ，２２ａが、一対の表紙１１，１２の通孔１１ａ，１２ａを貫通して、被挟持物Ｂの表面（表側表面Ｂ１，裏側表面Ｂ２）に（厚み方向Ｚへ）それぞれ圧接する。これにより、ファイル本体１に対して被挟持物Ｂが（取り外し方向Ｘ２へ）移動不能に挟持される。
したがって、スライド式クリップＣ１による被挟持物Ｂの挟持でファイル本体１の構成材料と関係なく被挟持物Ｂの滑り落ちを確実に防止することができる。
その結果、内側クリップ部の両折曲部が表紙を挟んでその外側から書類と接触することなく間接的に挟持する従来のものに比べ、ファイル本体１において表紙１１，１２の内側面が滑り易い平滑面であっても、被挟持物Ｂが表紙１１，１２の間から抜け落ちることない。
【００１７】
特に、一対の通孔１１ａ，１２ａのいずれか一方又は両方は、一対の表紙１１，１２のいずれか一方又は両方の開動に伴って押圧カバー３と係合する係合部１１ｂを有することが好ましい。
図１〜図５に示される例では、被挟持物Ｂの表側表面Ｂ１と対向する表側表紙１１に開設される第一通孔１１ａのみに、表側表紙１１の開動操作に伴って押圧カバー３に対し閉動不能に係合する係合部１１ｂを形成している。
このような場合には、図４及び図５（ｂ）に示されるように、一対の表紙１１，１２のうちいずれか一方又は両方を、被挟持物Ｂの表面（表側表面Ｂ１又は裏側表面Ｂ２）から開いて、通孔１１ａ，１２ａのいずれか一方又は両方の係合部１１ｂを、押圧カバー３に係合させることにより、表紙１１，１２のいずれか一方又は両方が開いたまま保持される。
したがって、表紙１１，１２のいずれか一方又は両方を被挟持物Ｂの表面（表側表面Ｂ１又は裏側表面Ｂ２）から開いた状態で仮止め保持することができる。
その結果、書類から表側の表紙を開いてもそれを手で保持しないと、表側の表紙が復元力で閉じてしまう従来のものに比べ、ファイル本体１の表紙１１，１２を曲げ変形に対して復元力が優れた材料で構成しても、復元力で閉じることを防止でき、被挟持物Ｂの表面（表側表面Ｂ１又は裏側表面Ｂ２）に対して筆記や記録などの作業をスムーズに行うことができる。
【００１８】
さらに、クリップＣは、係合部１１ｂと着脱自在に係合する突起部３６を有することが好ましい。図１〜図５に示される例では、スライド式クリップＣ１における押圧カバー３の基部３３の外面に、突起部３６として被挟持物Ｂの厚み方向Ｙへ貫通孔３６ａが開いたものを一体形成している。
このような場合には、図４及び図５（ｂ）に示されるように、一対の表紙１１，１２のうちいずれか一方又は両方を、被挟持物Ｂの表面（表側表面Ｂ１又は裏側表面Ｂ２）から開いて、通孔１１ａ，１２ａのいずれか一方又は両方の係合部１１ｂを、クリップＣの突起部３６に係合させることにより、表紙１１，１２のいずれか一方又は両方が開いたまま保持される。
したがって、簡素な構造で表紙１１，１２のいずれか一方又は両方を被挟持物Ｂの表面（表側表面Ｂ１又は裏側表面Ｂ２）から開いたまま確実に仮止め保持することができる。
その結果、ファイル本体１を曲げ変形に対して復元力が優れた材料で構成しても、復元力で閉じることを安価に且つより安定して高精度で防止できる。
【００１９】
また、一対の通孔１１ａ，１２ａのいずれか一方又は両方は、一対の弾性挟持部２１ａ，２２ａのいずれか一方又は両方が少なくとも押圧カバー３のスライド方向へ移動不能な開口寸法の係止部１２ｂを有することが好ましい。
図１〜図５に示される例では、被挟持物Ｂの裏側表面Ｂ２と対向する裏側表紙１２に開設される第二通孔１２ａのみに、被挟持物Ｂの裏側表面Ｂ２に圧接する第二弾性挟持部２２ａが押圧カバー３のスライド方向（被挟持物Ｂの挿入方向Ｘ１及び取り出し方向Ｘ２）と被挟持物Ｂの綴じ長さ方向Ｚへそれぞれ移動不能な開口寸法の係止部１２ｂを形成している。
このような場合には、一対の通孔１１ａ，１２ａのいずれか一方又は両方に対し、一対の弾性挟持部２１ａ，２２ａのいずれか一方又は両方が、係止部１２ｂで少なくとも押圧カバー３のスライド方向（被挟持物Ｂの挿入方向Ｘ１及び取り出し方向Ｘ２）へ移動不能に位置決めされる。このため、一対の挟持片２１，２２に沿って押圧カバー３（一対の押圧片３１，３２）を（被挟持物Ｂの取り外し方向Ｘ２へ）スライドさせても、一対の弾性挟持部２１ａ，２２ａのいずれか一方又は両方が、一対の通孔１１ａ，１２ａのいずれか一方又は両方に対して位置ズレしない。
したがって、表紙１１，１２の一対の通孔１１ａ，１２ａに対するスライド式クリップＣ１及び被挟持物Ｂのガタ付きを防止することができると同時に、一対の通孔１１ａ，１２ａからのクリップ本体２の脱落をも防止することができる。
その結果、ファイル本体１の表紙１１，１２に対し被挟持物Ｂをスライド式クリップＣ１で移動不能に綴じ込むことができて、安定性に優れる。
【００２０】
なお、前示の図示例では、被挟持物Ｂの表側表面Ｂ１と対向する表側表紙１１に開設される第一通孔１１ａのみに、表側表紙１１の開動操作に伴って押圧カバー３に対し閉動不能に係合する係合部１１ｂを形成したが、これに限定されず、被挟持物Ｂの裏側表面Ｂ２と対向する裏側表紙１２に開設される第二通孔１２ａに、裏側表紙１２の開動操作に伴って押圧カバー３に対し閉動不能に係合する係合部を形成してもよい。
さらに、前示の図示例では、押圧カバー３の基部３３の外面に突起部３６として、被挟持物Ｂの厚み方向Ｙへ貫通孔３６ａが開いたものを一体形成したが、これに限定されず、貫通孔３６ａの無い突起部３６を一体形成したり、別個に形成した突起部３６を固着したり、突起部３６の形状を変更したり、突起部３６の配置を変更したりしてもよい。
また、被挟持物Ｂの裏側表面Ｂ２と対向する裏側表紙１２に開設される第二通孔１２ａのみに、被挟持物Ｂの裏側表面Ｂ２に圧接する第二弾性挟持部２２ａが押圧カバー３のスライド方向（Ｘ１及びＸ２）と被挟持物Ｂの綴じ長さ方向Ｚへそれぞれ移動不能な開口寸法の係止部１２ｂを形成したが、これに限定されず、被挟持物Ｂの表側表面Ｂ１と対向する表側表紙１１に開設される第一通孔１１ａに、被挟持物Ｂの表側表面Ｂ１に圧接する第一弾性挟持部２１ａが押圧カバー３のスライド方向（Ｘ１及びＸ２）と被挟持物Ｂの綴じ長さ方向Ｚへそれぞれ移動不能な開口寸法の係止部を形成してもよい。
【符号の説明】
【００２１】
Ａ  クリップファイル                  １  ファイル本体
１Ｓ  内部空間                        １１，１２  表紙
１１ａ，１２ａ  通孔                  １１ｂ  係合部
１２ｂ  係止部                        １３  綴じ代部
Ｂ  被挟持物                          Ｂ１  表面（表側表面）
Ｂ２  表面（裏側表面）                Ｂ３  綴じ込み端部
Ｃ  クリップ                          Ｃ１  スライド式クリップ
２  クリップ本体                      ２１，２２  挟持片
２１ａ，２２ａ  弾性挟持部            ３  押圧カバー
３６  突起部
【図１】
2017105099.tif 000003
【図２】
2017105099.tif 000004
【図３】
2017105099.tif 000005
【図４】
2017105099.tif 000006
【図５】
2017105099.tif 000007